(57)【要約】【課題】就寝者の位置や姿勢が変更することにより、風量、風向等を頭部付近へ送風することが難しい。【解決手段】  ベッド８の頭側に配置され送風ファン部１３Ａとフィルタ部１４Ａとベッド８上に向けて配置された頭側吹き出し部１６と風向変更部１８Ａと頭側吸い込み部１７と無線連携部１５を有する頭側送風装置９と、ベッド８の足側に配置され送風ファン部１３Ｂとフィルタ部１４Ｂと足側吹き出し部２０と頭側吹き出し部１６に向けて配置された足側吸い込み部２１と風向変更部１８Ｂと無線連携部１５Ｂを有する足側送風装置１０を備え、頭側送風装置９と足側送風装置１０は連携動作し頭側吹き出し部９からベッド８上を流れて足側吸い込み部２１へと流れる清浄化気流１５を形成することと頭側送風ファン部１２、足側送風ファン部１３Ｂを逆回転することにより送風方向を変更する。【選択図】図２
2011202857.tif 000002
【特許請求の範囲】
【請求項１】
ベッド部と、前記ベッド部頭側に設置された頭側送風装置と、前記ベッド部脚側に設置された足側送風装置と、前記頭側送風装置および前記足側送風装置には、無線連携部と風向変更部と、フィルター部とを備え、前記頭側送風装置および前記足側送風装置には、清浄化空気を送風するファン部を各々の装置に有し、前記ファン部は、正回転、逆回転し、清浄化空気の送風方向を切り替え送風する機能を有して連携動作する構成を有した空気清浄装置。
【請求項２】
頭側送風装置と足側送風装置には、イオン発生機能、加湿機能のうち少なくとも１つの機能を発生させること有した請求項１に記載の連携して動作する構成を有した空気清浄装置。
【請求項３】
足側送風装置から頭側送風装置へ清浄化気流を送風する際に、下側吹き出し部または下側回収部を、気流をベッド部部下に吹き出す、回収する構成とした請求項１または２に記載の空気清浄装置。
【請求項４】
頭側送風装置から足側送風装置へ清浄化気流を送風する際に、下側吹き出し部または下側回収部を、気流をベッド部部下に吹き出す、回収する構成とした請求項１または２に記載の空気清浄装置。
【請求項５】
頭側送風装置から足側送風装置へ清浄化気流を送風する際に、足側送風装置が回収吸引する清浄化気流よりも多量の風量を送風する構成とした請求項１から４いずれか１項に記載の空気清浄装置。
【請求項６】
足側送風装置は、頭側送風装置が吹き出す清浄化気流と清浄化気流が足側送風装置に到達する間に巻き込むことで足側送風装置へと流れる周囲の空気をあわせた流量で吸引する構成とした請求項５に記載の空気清浄装置。
【請求項７】
頭側送風装置から足側送風装置へ清浄化気流を送風する際に、足側送風装置が送風する清浄化気流よりも多量の風量を回収する構成とした請求項１から４いずれか１項に記載の空気清浄装置。
【請求項８】
頭側送風装置と足側送風装置のファン機能の起動タイミングを頭側送風装置が送風時は足側送風装置は停止、足側送風装置が送風時は、頭側送風装置は停止と起動タイミングをずらして間欠運転を行う構成とした請求項１から７のいずれか１項に記載の空気清浄装置。
【発明の詳細な説明】
【技術分野】
【０００１】
本発明は、気流を発生させ室内の局所的な空間を頭側送風装置と足側送風装置により連携して動作する構成を有した空気清浄装置に関するものである。
【背景技術】
【０００２】
従来、この種のベッド部に設置された空気清浄装置は、就寝者が快適に就寝できるように、就寝者の頭側の清浄化空気調和を行う頭側空調手段と、就寝者の脚側の清浄化空気調和を行う脚側空調手段とを備え、就寝空間を清浄化空気調和するようにした空調装置付ベッド部が知られている（例えば、特許文献１参照）。
【０００３】
図４は、特許文献１に記載された従来の空気清浄装置の側面図を示すものである。
【０００４】
図４において、空気清浄装置はベッド部１と一体に設けられ、ベッド部１の下方には送風ファン部３とフィルタ部２が配置されている。ベッド部１の頭側にはベッド部１の足側に向けて清浄化気流Ａ２を発生させる吹き出し部５が設けられており、吹き出し部５から吹き出された清浄化気流Ａ２がベッド部１の下方に送風され、ベッド部１上の塵埃を含む塵埃を含有する空気Ａ１になり、フィルタ部２より回収されている。フィルタ部２と送風ファン部３と吹き出し部５はダクト部６で連結されている。
【先行技術文献】
【特許文献】
【０００５】
【特許文献１】特開２０００−１７１０６７号公報
【発明の概要】
【発明が解決しようとする課題】
【０００６】
しかしながら、従来の空気清浄装置では、ベッド部足側の吸い込み部からベッド部頭側の吹き出し部までの長い距離をダクト部で接続する必要があるため設置が困難であるという課題を有していた。また頭側と足側に別々の送風装置を配置する構成としても、頭側の送風装置と足側の送風装置の位置や風量、風向等のバランスが崩れることで清浄化気流が乱れてしまい、ベッド部上を清浄化できなくなるという課題を有している。更に従来の構成では、頭側送風装置により頭側から送風される正常化気流は就寝者が横臥の場合には、頭部付近に的確に清浄化気流を送風することが可能となるが、頭側送風装置からの一方向の送風、あるいは頭側送風装置の頭部付近、足側送風地送風装置の足側付近への送風と一方向の送風機構しか有していないので就寝者がベッド部に座位状態の際には、頭側送風装置の方向からでは、就寝者の後頭部側にむけての清浄化気流を送風することになるため、就寝者に的確に清浄化気流を送風できない。具体的には、顔表面側の鼻口側に清浄化気流があたりにくいという課題を有していた。
【０００７】
本発明は、前記従来の課題を解決するもので、容易に設置が可能で、ベッド部に設置された頭側送風装置と足側送風装置により、就寝者の状況に応じて、的確に就寝者に気流を送風するために、気流送送風のファンを有し、気流方向を変更することが可能なファン機能を有することにより、確実に清浄化気流を発生させることが出来る送風装置を連携して動作する構成とした空気清浄装置を提供することを目的とする。
【課題を解決するための手段】
【０００８】
前記従来の課題を解決するために、本発明の空気清浄装置は、ベッド部と、前記ベッド部頭側に設置された頭側送風装置と、前記ベッド部脚側に設置された足側送風装置と、前
記頭側送風装置および前記足側送風装置には、無線連携部と風向変更部と、フィルター部とを備え、前記頭側送風装置および前記足側送風装置には、清浄化空気を送風するファン部を各々の装置に有し、前記ファン部は、正回転、逆回転し、清浄化空気の送風方向を切り替え送風する機能を有して連携動作する構成を有したものである。
【０００９】
これによって、頭側送風装置と脚側送風装置に清浄化空気の吹き出しと吸引するファン機能を各々の装置に有することにより、ファンの送風方向を切り替えることが可能になる。例えば、病院などで入院患者を収容している病室においては、ベッド部の就寝者である患者は、ベッド部上で就寝や食事、治療等の行為を行い、一日の大半をベッド部上で過ごすことになる。ベッド部上での様々な行為を行うことにより、就寝者の頭部位置、特に顔表面の鼻、口位置は変動することになる。この際、患者の頭部位置の動きに合わせて的確に頭部付近に清浄化空気を送風する方法が必要だが、ファンの送風方向を切り替えることにより、的確に送風が可能となる。例えば、就寝者がベッド部に横臥状態で寝ている場合は、頭側送風装置から足側送風装置へ気流を送風する。これにより、清浄化空気は就寝者の頭部より脚側まで流れる方向の気流を確実に形成することができ、就寝者頭部付近の主に顔表面である鼻、口部に的確に清浄化空気を送風することが可能となる。就寝者がベッド部に座位状態では、足側送風装置から頭側送風装置へ清浄化空気を送風することにより、就寝者が座っていても就寝者頭部主に顔表面側へ的確に清浄化空気を送風することが可能となる。この気流の送風方向の切り替えを頭側送風装置と脚側送風装置の装置内に内蔵されているファン機能を正回転と逆回転と回転方向を切り替えて無線連携部により連携を行い、風向変更部による清浄化空気の風向変更を行うことと各々の装置を連携作動させることにより、気流の送風方向を切り替えることが可能となる。また、ベッド部頭側送風装置と足側送風装置とをダクト部接続する必要がなくなり、装置の設置性が向上し、ベッド部にあらかじめ装置を内蔵する必要がなくなり、ベッド部に後付設置を行うことが可能となり、様々なベッド部に対応設置をすることが可能となる。ダクト部をなくすことにより、ダクト取り付けによる複雑な工事が必要なくなり、取り付け自体も簡易化される。更にダクト部をなくすことにより、装置の小型および軽量化を行うことが出来、低コストをはかることが可能となる。
【発明の効果】
【００１０】
本発明の空気清浄装置は、清浄化空気の気流方向を変更することが可能なファン機能を有することにより、就寝者の状況に応じて頭部付近に的確に清浄化した気流を送風することができる。
【図面の簡単な説明】
【００１１】
【図１】本発明の第１実施形態における連携して動作する構成とした空気清浄装置の外観構成を模式的に示す斜視図
【図２】図１に示した空気清浄装置の就寝者横臥時における正面図
【図３】図１に示した空気清浄装置の就寝者座位時における正面図
【図４】従来の清浄化空気清浄装置の外観構成を模式的に示す正面図
【発明を実施するための形態】
【００１２】
第１の発明は、ベッド部と、前記ベッド部頭側に設置された頭側送風装置と、前記ベッド部脚側に設置された足側送風装置と、前記頭側送風装置および前記足側送風装置には、無線連携部と風向変更部と、フィルター部とを備え、前記頭側送風装置および前記足側送風装置には、清浄化空気を送風するファン部を各々の装置に有し、前記ファン部は、正回転、逆回転し、清浄化空気の送風方向を切り替え送風する機能を有して連携動作する構成を有した空気清浄装置とすることにより、頭側送風装置と脚側送風装置に清浄化空気の吹き出しと吸引するファン機能を正回転、逆回転と切り替え可能なファン機能を有することにより、ファンの送風方向を切り替えることが可能になる。更に無線連携部を用いて連携
動作が行われ各々装置に取り付けられている風向変更部により、気流の風向を変更することが可能となる。この機能により、ベッド部上にいる就寝者には、横臥状態や、座位状態と体位や位置、姿勢と変動させても狙うポイントや箇所、例えば頭部付近への清浄化気流を送風することが可能となる。頭部付近や顔表面であっても的確に清浄化空気の送風方向を変更することが出来る。また、具体的な例をあげれば例えば、病院などで入院患者を収容している病室においては、ベッド部の就寝者である患者は、ベッド部上で就寝や食事、治療等の行為を行い、一日の大半をベッド部上で過ごすことになる。ベッド部上での様々な行為を行うことによる就寝者の頭部位置、特に顔表面の鼻、口位置は変動することになる。この際、患者の頭部位置の動きに合わせて的確に頭部付近に清浄化空気を送風する方法が必要だが、無線連携部による装置のファン機能の送風方向をファンの正回転、逆回転と切り替え、風向変更部により風向を変更、いわゆるルーバー等により気流方向を変化させる機能で変更することにより、的確に頭部付近への清浄化空気の送風が可能となる。例えば、就寝者がベッド部に横臥状態で寝ている場合は、頭側送風装置から足側送風装置へ気流を送風するようにファン機能を正回転、風向変更させる。これにより、清浄化空気は就寝者の頭部より脚側まで流れる方向の気流を確実に形成することができ、就寝者頭部付近の主に顔表面である鼻、口部を目指した清浄化空気を送風することが可能となる。就寝者がベッド部に座位状態では、足側送風装置から頭側送風装置へ清浄化空気を送風するようにファン機能を前記横臥状態の逆回転に回転をさせ、風向変更部で清浄化空気の風向を変更させることにより、就寝者が座っていても就寝者頭部付近、主に顔表面側を目指して清浄化空気を送風するように清浄化空気を送風することが可能となる。清浄化空気をベッド部上に流すことにより、ベッド部上を清浄化でき、ベッド部上から発生した塵埃や菌、アレルゲン、ウイルス等の汚染物質をベッド部上減少させ、ベッド部上の清浄化を上げることができ、就寝者の居住環境を良くすることができる。
【００１３】
第２の発明は、特に、第１の発明において、頭側送風装置と足側送風装置には、イオン発生機能、加湿機能のうち少なくとも１つの機能を発生させる機能を有することにより、第１の発明によるフィルター部により清浄化された気流に、付加機能と追加することにより、就寝者へより清浄化した空気を送風することが出来、周囲の空間を清浄に保つことが出来る。
【００１４】
第３の発明は、特に、第１または第２の発明において、足側送風装置から頭側送風装置へ清浄化気流を送風する際に、下側吹き出し部または下側回収部を、気流をベッド部部下に吹き出す、回収する構成とした空気清浄装置とすることにより、足側送風装置の下側吹き出し部または下側回収部は、気流をベッド部部の下に吹き出すまたは、下側から回収する構成とした空気清浄装置としたことにより、ベッド部上とベッド部下と気流が流れるようになり、ベッド部や就寝者の障害にぶつかってベッド部サイドに拡散した気流を下側部分にも気流を発生させることができ、ベッド部周囲を循環する気流が形成されることとなり、循環する気流の内部には、就寝者がいるベッド部周囲をより清浄化を保つことができ、外部からの不浄な空気が流れてくるのを防止するいわゆるエアカーテンのような循環気流を形成し、より清浄化空間を保つことができる。
【００１５】
第４の発明は、特に第１または第２の発明において、頭側送風装置から足側送風装置へ清浄化気流を送風する際に、下側吹き出し部または下側回収部を、気流をベッド部部下に吹き出す、回収する構成とした空気清浄装置にすることにより、ベッド部上とベッド部下と気流が流れるようになり、ベッド部や就寝者の障害にぶつかってベッド部サイドに拡散した気流を下側部分にも気流を発生させることができ、ベッド部周囲を循環する気流が形成されることとなり、循環する気流の内部には、より就寝者がいるベッド部周囲の清浄化を保つことができ、外部からの不浄な空気が流れてくるのを防止するいわゆるエアカーテンのような循環気流を形成しより清浄化空間を保つことができる。
【００１６】
第５の発明は、特に、第１〜４のいずれか１つの発明において、頭側送風装置から足側送風装置へ清浄化気流を送風する際に、頭側送風装置が送風する清浄化気流よりも多量の風量を回収吸引する構成としたことにより、ベッド部上で発生した塵埃や菌、アレルゲン、ウィルス等の汚染物質で清浄化気流に乗らなかったものや、清浄化気流の乱れなどにより清浄化気流から外れてしまった汚染物質も回収できるようになり、ベッド部上をより確実に清浄化することができる。ベッド部上により多くの清浄化した空気を送ることになるため確実にベッド部上を清浄化することができる。また、清浄化気流が足側吸い込み部の開口部にあわせて流れを変える際に慣性によって清浄化気流から外れてしまう汚染物質の一部もベッド部周囲へと吹き飛ばされるため、ベッド部上は清浄化することができる。
【００１７】
第６の発明は、特に、第５の発明において、足側送風装置は、頭側送風装置が吹き出す清浄化気流と清浄化気流が足側送風装置に到達する間に巻き込むことで足側送風装置へと流れる周囲の空気をあわせた流量で吸引する構成としたことにより、足側吸い込み部では足側吸い込み部に向かってくる空気全体を回収することになるため流れに乗ってきた汚染物質をすべて回収でき、同時に清浄化気流だけでなく清浄化気流によって二次的に発生した気流も周囲に広がらないようにすることができる。
【００１８】
第７の発明は、特に、第１〜６のいずれか１つの発明において、頭側送風装置から足側送風装置へ清浄化気流を送風する際に、足側送風装置が送風する清浄化気流よりも多量の風量を回収する構成としたにより、ベッド部上により多くの清浄化した空気を送ることになるため確実にベッド部上を清浄化することができる。また、清浄化気流が足側吸い込み部の開口部にあわせて流れを変える際に慣性によって清浄化気流から外れてしまう汚染物質の一部もベッド部周囲へと吹き飛ばされるため、ベッド部上は清浄化することができる。
【００１９】
第８の発明は、特に、第１〜７のいずれか１つの発明において、頭側送風装置と足側送風装置のファン機能の起動タイミングを頭側送風装置が送風時は足側送風装置は停止、足側送風装置が送風時は、頭側送風装置は停止と起動タイミングをずらして間欠運転を行う構成としたことにより、清浄化空気をベッド部上に一様流として流すのではなく、間欠運転による非定常な流れの清浄化空気を流すことにより、ベッド部の上に清浄化空気が拡散することとなり、よりベッド部上を清浄化空間とすることができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における連携して動作する構成とした空気清浄装置の外観構成を模式的に示す斜視図を示すものである。
図１において、ベッド８には空気清浄装置が取り付けられている。ベッド８の頭側に頭側送風装置９が配置され、ベッド８の足側に足側送風装置１０が配置されている。ベッド８の上には就寝者１１がおり、ベッド８上には塵埃や菌、アレルゲン、ウィルス等の汚染物質１２が存在している。ベッド８上には就寝者１１が横臥状態にて滞在しており、この空気清浄装置の模式的に使用されている様子を表している。ベッド８本来の目的は、就寝者１１が横臥して使用することが大半ではあるため、図１に示すとおりの頭側送風装置９の頭側送風部１３から送風された清浄化空気１５が横臥状態の就寝者１１の頭部付近から足側送風装置１０の足側送風部１４へ回収される。例えば病院などの病室においては、就寝者１１が一日の大半をベッド８で過ごすことになる。ベッド８部上で就寝者１１が横臥状態や座位状態へと変動することにより、頭位置や顔位置が変動することになり、就寝者１１の変動する動きを追いかけ、頭付近や顔付近に清浄化空気１５を送風する送風機構が必要になる。
【００２２】
図２は、図１に示した空気清浄装置の就寝者横臥時における正面図を示すものである。
【００２３】
図２において、ベッド８には空気清浄装置が取り付けられており、就寝者１１が横臥状態での利用をしている。ベッド８の頭側に頭側送風装置９が配置され、ベッド８の足側に足側送風装置１０が配置されている。ベッド８の上には就寝者１１が横臥状態でおり、ベッド８上には塵埃や菌、アレルゲン、ウィルス等の汚染物質１２が存在している。
【００２４】
頭側送風装置９の内部には頭側送風ファン部１３Ａと頭側フィルタ部１４Ａが内蔵されており、無線連携部１５Ａを有している。また頭側送風装置９には頭側吹き出し部１６と頭側吸い込み部１７が設けられており、頭側吹き出し部１６は風向変更部１８Ａを有している。頭側吸い込み部１７はベッド８の下に向けて構成されており、頭側吹き出し部１６はベッド８の上に向けて配置されている。内蔵されている頭側フィルタ部１４Ａの吸い込み側には、風路切り替え弁２２Ａが設置されている。また頭側送風装置９には操作部１９が設けられている。頭側送風装置９内部には、電圧付加によるイオンを発生させるいわゆるイオン発生機である頭側イオン発生機２５Ａを内蔵している。このイオン発生機２５Ａには、イオン発生または空気の湿度を向上させる加湿機能を搭載している。空気の加湿方法には、例えばペルチェ素子による加湿方法を利用し、水供給の手間を省いている構成となっている（図示しない。）。
【００２５】
足側送風装置１０の内部には送風ファン部１３Ｂとフィルタ部１４Ｂが内蔵されており、無線連携部１５Ｂを有している。また足側送風装置１０には足側吹き出し部２０と足側吸い込み部２１が設けられており、足側吸い込み部１５は風向変更部１８Ｂを有している。足側吸い込み部２１はベッド８の上に向けて構成されており、足側吹き出し部２０はベッド８の下に向けて配置されている。内蔵されている足側フィルタ部１４Ｂの吸い込み側には、風路切り替え弁２２Ｂが設置されている。また、足側送風装置９内部には、電圧付加によるイオンを発生させるいわゆくイオン発生機である頭側イオン発生機２５Ｂを内蔵している。このイオン発生機２５Ｂには、イオン発生または空気の湿度を向上させる加湿機能を搭載している。空気の加湿方法には、例えばペルチェ素子による加湿方法を利用し、水供給の手間を省いている構成となっている（図示しない。）。
【００２６】
頭側吹き出し部１６と足側吸い込み部２１はベッド８の上で向き合っており、頭側吸い込み部１７と足側吹き出し部２０はベッド８の下で向き合っている。また頭側吹き出し部１６に設置された風向変更部１８Ａはベッド８の上面に気流を吹き付けるよう下向きになっており、足側吸い込み部２１に設置された風向変更部１８Ｂはベッド８の上面に近い空間から気流を吸引するよう下向きになっている。
【００２７】
以上のように構成された空気清浄装置について、以下その動作、作用を説明する。
【００２８】
まず、頭側吹き出し部１６からは清浄化気流１５が吹き出されている。清浄化気流１５はベッド８の頭側から足側に向けてベッド８の上面及び就寝者１１の上を沿って流れる。気流が壁面や障害物側面に沿って流れるコアンダ効果を利用できるため送風ファン部１３Ａと送風ファン部１３Ｂは少ない風量で清浄化空気１５を流すよう回転数および風量動作が設定されている。清浄化気流１５はベッド８の上面にぶつかってからベッド８の上面に沿って流れた後、自然とベッド８の上面の足側に近い空間へと流れる。足側吸い込み部２１の風向変更部１８Ｂはこのベッド上面をコアンダ効果で足側へ流れてきた清浄化空気１５に向いており、つまり下側方向に向いており、清浄化気流１５は吸い込み部２１へと吸引される。また足側吹き出し部２０から排気風２４が吹き出されている。排気風２４はベッド８の下を足側送風装置１０側から頭側送風装置９側に向かって流れ、ベッド８下の頭側の空間が排気風２４の下流域２３Ｂとなる。この下流域２３Ｂの位置に頭側吸い込み部
１７が設けられているため排気風２４は頭側吸い込み部１７へと吸引される。
【００２９】
また操作部１９によって頭側送風装置９の送風ファン部１３Ａの動作状態や風向変更部１８Ａの動作を変更できる構成となっている。同時に頭側送風装置９の無線連携部１５Ａと足側送風装置１０の無線連携部１５Ｂは通信しており、頭側送風装置９の送風ファン１４Ａの動作状態や風向変更部１８Ａの動作状態が足側送風装置１０の無線連携部１５Ｂへと伝えられている。無線連携部１５Ｂは取得した情報を元に送風ファン１４Ｂや風向変更部１８Ｂの動作を変化させる構成となっており、結果として操作部１９の操作で頭側送風装置９と足側送風装置１０の両方が操作されることとなる。
【００３０】
以上のように、本実施の形態１においては就寝者１１がベッド８上で横臥状態の際には操作部１９の操作により、頭側送風ファン１３Ａが起動回転を行い、２２Ａ風路切り替え弁、頭側フィルタ部１４Ｂを通過した空気が、頭側送風装置９のイオン発生機２５Ａにより発生したイオンまたは加湿された空気を含み清浄化空気１５となる。清浄化空気１５は、頭側風向変更部１８Ａより、就寝者１１の頭部付近へ風向を設定され送風される。就寝者１１の頭部付近に送風された清浄化空気１５は、前述したコアンダ効果により、就寝者１１の体表面または、ベッド８の上面に沿って足側送風装置１０方向へ送風される。足側送風装置１０付近へ送風される際にベッド８上、または就寝者１１の付近に漂うウイルス・アレルゲン１２を清浄化し、塵埃等を足側送風装置１０方向へ送り出す。足側送風装置１０付近まできた清浄化空気１５は、足側送風装置１０に内蔵されている足側送風ファン１３Ｂ部を起動し、送風する。この場合は、ベッド８上の清浄化空気を足側風向変更部１８Ｂより回収する方向に送風する。足側風向変更部１８Ｂは下方向へ向けられており、下方向とはいわゆる鉛直方向であり、下方向に向けられた足側風向変更部１８Ｂにより、清浄化空気１５は、足側送風装置１０内部へ回収される。回収された清浄化空気１５は、足側風路切り替え弁２３、足側フィルタ部１４Ｂにて、塵埃等を清浄化され排気風２４となり排気される。排気された排気風２４は、再び頭側送風装置９により回収され、頭側送風ファン部１３Ａの送風により、就寝者１１へ送風される。
【００３１】
この一連のサイクルにより、ベッド８上の就寝者１１の周囲を清浄化することができる。
【００３２】
また、図３は、本発明の実施の形態１における空気清浄装置の就寝者座位時における正面図を示すものである。
【００３３】
本実施の形態では、図３において、就寝者１１はベッド８上で座った状態になったことにより、就寝者１１の頭位置が横臥状態より変動している。変動したことにより、横臥状態では、就寝者１１の頭部付近へ送風されていた清浄化空気１５は、操作部１９の切り替えにより、下記の方法により送風機構の切り替えを行う。頭側吹き出し部１６の風向変更部１８Ａは就寝者１１自身や第三者によって、就寝者１１の頭の位置へと向けられ、上向きになっている。頭側送風装置９に内蔵されている頭側送風ファン部１３Ａが図２の状態を正回転とした場合、逆回転とすることにより送風方向を反転させている。また、風路切り替え弁２２Ａにより、送風路を切り替え、送風する通路を頭側フィルタ１４Ａ側へ切り替える機能を持っている。図２の状態では頭側フィルタ１４Ａのない側を通過していたが、頭側フィルタ１４Ａ側の通路へ切り替えることにより、塵埃等を回収することが可能となる。頭画側送風装置９は周囲空気を回収し、頭側吹き出し部１７より、空気を吹き出すことができ、足側送風装置へ排気風２４を排気する。
【００３４】
足側吹き出し部２１の風向変更部１８Ｂは就寝者１１自身や第三者によって、就寝者１１の顔の位置へと向けられ、上向きになっている。足側送風装置１０に内蔵されている足側送風ファン部１３Ｂが図２の状態を正回転とした場合、逆回転とすることにより送風方
向を反転させている。また、風路切り替え弁２３により、送風路を切り替え、送風する通路図２状態では、足側フィルタ１４Ｂを通過し、塵埃等を集塵していたが、足側フィルタ１４Ｂのない通路側へ切り替えることにより、足側回収フィルタ１４Ｂに回収された塵埃等を飛散させなくてよく、フィルタの抵抗も少ないため送風の電力ロス、圧力ロスを低減することができる。足側送風装置１０は頭側送風値２４から排気された周囲空気を回収し、足側吹き出し部２１より、空気を吹き出すことができ、ベッド８上に座位状態でいる就寝者１１の頭部付近の顔表面がわへ清浄化空気１５を送風する。その後清浄化空気１５は、頭側送風装置９へ送風され回収される。
【００３５】
以上のように、図３においては就寝者１１がベッド８上で座位状態の際には操作部１９の操作により、足側送風ファン１３Ｂが起動回転を行い、２３風路切り替え弁、足側フィルタ部１４Ｂを通過した空気が、足側送風装置１０のイオン発生機２５Ｂにより発生したイオンまたは加湿された空気を含み清浄化空気１５となる。清浄化空気１５は、頭側風向変更部１８Ｂより、就寝者１１の頭部付近へ風向を設定され送風される。
【００３６】
就寝者１１の頭部付近に送風された清浄化空気１５は、前述したコアンダ効果により、就寝者１１の体表面または、ベッド８の上面に沿って頭側送風装置９方向へ送風される。頭側送風装置９付近へ送風される際にベッド８上、または就寝者１１の付近に漂うウイルス・アレルゲン１２を清浄化し、塵埃等を頭側送風装置９方向へ送り出す。頭側送風装置９付近まできた清浄化空気１５は、頭側送風装置９に内蔵されている足側送風ファン１３Ａ部を起動し、送風、図２状態を正回転とした場合の逆回転にて起動する。この場合は、ベッド８上の清浄化空気を頭側風向変更部１８Ａより回収する方向に送風する。頭側風向変更部１８Ａは上方向へ向けられており、上方向とはいわゆる図状態の反対方向であり、上方向に向けられた頭側風向変更部１８Ａにより、清浄化空気１５は、頭側送風装置９内部へ回収される。回収された清浄化空気１５は、頭側風路切り替え弁２２Ａ、頭側フィルタ部１４Ａにて、塵埃等を清浄化され排気風２４となり排気される。排気された排気風２４は、再び足側送風装置１０により回収され、頭側送風ファン部１３Ａの送風により、就寝者１１へ送風される。
【００３７】
この一連のサイクルにより、ベッド８上の就寝者１１の周囲は清浄化することができる。
【００３８】
この動作状態は無線連携部１５Ａから無線連携部１５Ｂに伝えられ、足側送風装置１０では足側吸い込み部２１の風向変更部１８Ｂが清浄化気流２２の下流域２３Ａに向けて上向きになっている。また送風ファン部１３Ｂも送風ファン部１３Ａと同じ風量を流すよう就寝者１１が横になっていた場合よりも強く動作されている。
【００３９】
これらにより清浄化気流はベッド８の上方の空間に形成され座った状態の就寝者１１の顔付近を流れる気流となっている。
【００４０】
以上のように構成された空気清浄装置について、以下その動作、作用を説明する。
【００４１】
まず就寝者１１や第三者によって操作部１９が操作されると空気清浄装置が起動する。就寝者１１の状態に合わせた清浄化気流１５を形成するように空気清浄装置は操作され、例えば就寝者１１が横たわった状態の場合はベッド８の上面に沿った清浄化気流２２を形成し、また例えば就寝者１１が座った状態の場合は顔の位置するベッド８上方の空間に清浄化気流１５を形成するよう設定される。
【００４２】
これら操作部１９での操作に基づいてまず頭側送風装置９が起動する。送風ファン部１３Ａと風向変更部１８Ａが動作し、操作部１９によって設定された清浄化気流２２を形成
するよう送風ファン１３Ａ及び風向変更部１８Ａの動作が変更される。
【００４３】
続いて、無線連携部１５Ａから足側送風装置１０の無線連携部１５Ｂへと送風ファン部１３Ａと風向変更部１８Ａの動作状態が伝えられる。無線連携部１５Ｂは入手した送風ファン部１３Ａと風向変更部１８Ａの動作状態に基づいて送風ファン部１３Ｂと風向変更部１８Ｂの動作状態を変更させる。
【００４４】
これらの動作においては、形成しようとする清浄化気流２２に対する送風ファン部１３Ａ及び風向変更部１８Ａの動作状態の設定はあらかじめ決められており、送風ファン部１３Ａ及び風向変更部１８Ａの動作状態の設定に対する送風ファン部１３Ｂ及び風向変更部１８Ｂの動作状態の設定もあらかじめ決められており、操作部１９への入力によってすべての動作状態は一意に決定される。
【００４５】
例えばベッド８の上面に沿った清浄化気流１５を形成する場合は、送風ファン部１３Ａと送風ファン部１３Ｂは少ない風量を互いに同じだけ流すよう動作が設定され、風向変更部１８Ａと風向変更部１８Ｂは下に向けられる。
【００４６】
また例えばベッド８の上方の清浄化気流１５を形成する場合は、送風ファン部１３Ａと送風ファン部１３Ｂは大きい風量を互いに同じだけ流すよう動作が設定され、風向変更部１８Ａと風向変更部１８Ｂは上に向けられる。
【００４７】
頭側送風装置９では送風ファン部１３Ａが動作したことにより、頭側吸い込み部１７から頭側送風装置９の内部へと空気が吸引され、フィルタ部１４Ａで清浄化された後に頭側吹き出し部１６から清浄化気流１５として吹き出される。
【００４８】
清浄化気流１５は操作部１９への操作に基づいて設定された、送風ファン部１３Ａと送風ファン部１３Ｂ及び風向変更部１８Ａと風向変更部１８Ｂにより流れが形成される。
【００４９】
清浄化気流１５が就寝者１１に到達することで、就寝者１１は清浄化気流１５を吸引するため快適であると同時にウイルス・アレルゲン１２等の汚染物質に害される危険がない。また清浄化気流１５は就寝者１１に清浄な空気を届けると同時にウイルス・アレルゲン１２等の汚染物質を流れに乗せて足側吸い込み部２１へと搬送していく。清浄化気流１５はベッド８の上を頭側から足側まで流れるため、ベッド８上の空間全体に存在する汚染物質１２が清浄化気流２２によって除去される。
【００５０】
送風ファン１３Ａと送風ファン１３Ｂが同じ風量であるため足側吸い込み部２１に到達した清浄化気流１５は全て足側吸い込み部２１に吸引され、清浄化気流１５によって搬送されてきたウイルス・アレルゲン１２等の汚染物質が周囲に吹き飛ばされることがなく、周囲の空間も清浄に保つことが出来る。
【００５１】
足側吸い込み部２１から足側送風装置１０の内部へと吸引された清浄化気流１５はフィルタ部１４Ｂでウイルス・アレルゲン１２等の汚染物質を除去された後、足側吹き出し部２０から排気風２４として吹き出される。
【００５２】
足側吹き出し部２０から出される排気風２４に対して、頭側吸い込み部１７はその下流域２３Ｂに元々位置しているため、排気風２４はベッド８の下を真っ直ぐに流れ頭側吸い込み部１７に吸引される。
【００５３】
頭側吸い込み部１７から頭側送風装置９の内部へと吸引された排気風２４は、フィルタ部１４Ａで清浄化された後に頭側吹き出し部１６から清浄化気流２２として吹き出される
。この清浄化気流１５が排気風２４となり再び清浄化気流１５になるという循環が繰り返される。
【００５４】
なお、本実施の形態において清浄化気流１５は、操作部１９を就寝者１１や第三者が操作することで設定する構成となっていたが就寝者１１の状態を検知し自動的に設定を行う構成としてもかまわない。
【産業上の利用可能性】
【００５５】
以上のように、本発明にかかる空気清浄装置は、ベッド部上の就寝者の頭部付近または顔表面付近が変動しようとも、位置変動に応じて清浄化空気を送風することできベッド部上の局所的な空間を清浄化することができ、省スペース設計により設置性が向上するため、ベッドに後付設置が可能となるので、家庭用のベッド等の用途にも適用できる。
【符号の説明】
【００５６】
１  空気清浄装置
２  フィルタ部
３  ファン
５  吹き出し部
６  空気ダクト部
Ａ１  塵埃を含有する空気
Ａ２  清浄空気
８  ベッド
９  頭側送風装置
１０  足側送風装置
１１  就寝者
１２  ウイルス・アレルゲン
１３  頭側送風部
１４  足側送風部
１５  清浄化空気
１３Ａ  頭側送風ファン部
１３Ｂ  足側送風ファン部
１４Ａ  頭側フィルタ部
１４Ｂ  頭側フィルタ部
１５  清浄化空気
１５Ａ  無線連携部
１６  頭側吹き出し部
１７  頭側吸い込み部
１８Ａ  頭側風向変更部
１８Ｂ  足側風向変更部
１９  操作部
２４  排気風
２２Ａ  頭側風路切り替え弁
２２Ｂ  足側風路切り替え弁
２５Ａ  頭側イオン発生機
２５Ｂ  足側イオン発生機
【図１】
2011202857.tif 000003
【図２】
2011202857.tif 000004
【図３】
2011202857.tif 000005
【図４】
2011202857.tif 000006